(57)【要約】【課題】既設機械台により駆動機関連荷重を支持する構成であって、高さ方向所要スペースが少なく既設昇降路に容易に設置可能なエレベーター装置を得る。【解決手段】支持枠４に駆動機６、第一滑車７、第二滑車８及び第三滑車９を設け、駆動機６の駆動綱車に巻掛けた主索１０の一端側にかご１１を、他端側につり合おもり１２を係合する。これにより、駆動機６関連荷重を支持枠４等を介して既設機械台３によって支持し、既設昇降路１の案内レールによる鉛直方向の荷重支持を解消する。また、駆動機６の回転軸線を鉛直方向に配置して支持枠４に設置することにより、既設昇降路１の上端部における駆動機６等の設置に要する高さ方向スペースが減少するので、かご１１に対する頂部すき間の確保を容易化する。【選択図】        図１
2004168518.tif 000002
【特許請求の範囲】
【請求項１】
上方に機械室が設けられたエレベーターの既設昇降路、水平投影面においてロ字状をなし上記既設昇降路の上端部に水平に配置された支持枠と、一端が上記機械室に設置された既設機械台に連結され、他端は上記支持枠に連結された支持体と、上記支持枠に設けられて回転軸線が鉛直方向に配置された駆動機と、上記支持枠に設けられて上記駆動機から離れ、かつ回転軸線が鉛直方向に配置された第一滑車と、上記支持枠に設けられて上記駆動機側の縁部寄りに上記駆動機から離れて配置され、かつ回転軸線が水平方向に配置された第二滑車と、上記支持枠に設けられて上記第一滑車側の縁部寄りに上記第一滑車から離れて配置され、かつ回転軸線が水平方向に配置された第三滑車と、一端側が上記エレベーターのかごに係合されて上記第二滑車、第一滑車、駆動機の駆動綱車及び第三滑車に順次巻掛けられて、他端側は上記エレベーターのつり合おもりに係合された主索とを備えたエレベーター装置。
【請求項２】
主索を、一端が支持枠の一側に連結されかご吊り車、第二滑車、第一滑車、駆動機の駆動綱車、第三滑車及びつり合おもり吊り車に順次巻掛けられて、他端は上記支持枠の他側に連結されたものとしたことを特徴とする請求項１記載のエレベーター装置。
【発明の詳細な説明】
【０００１】
【発明の属する技術分野】
この発明は、改修工事において旧エレベーターを撤去して既設昇降路に新設されるエレベーター装置に関する。
【０００２】
【従来の技術】
旧エレベーターを撤去し既設昇降路に新エレベーターを設置する改修工事において従来、次に述べるようにエレベーターの駆動機が配置される。すなわち、上方に機械室が設けられたエレベーターの既設昇降路の上端部に支持梁が配置される。また、長手が鉛直方向に配置された支持体によって、機械室に設置された既設機械台と支持梁が支持体によって連結される。
【０００３】
そして、支持梁の上に駆動機が据付けられて、駆動機の駆動綱車に巻掛けられた主索の一端にエレベーターのかごが、他端につり合おもりが連結される。このような構成において、駆動機の自重及び駆動機に作用する荷重が支持梁、支持体を介して既設機械台によって支持される。そして、駆動機が付勢されると主索を介してかご及びつり合おもりが互いに反対方向へ昇降するようになっている。
【０００４】
【発明が解決しようとする課題】
上記のような従来のエレベーター装置では、駆動機に関わる全荷重が既設機械台によって支持されて、昇降路に立設された案内レールによる鉛直方向の荷重支持が無用になる。しかし、支持梁の上に駆動機が据付けられるため、既設昇降路の上端部における駆動機設置に要する高さ方向スペースが必要となる。したがって、支持梁の既設昇降路における高さ方向の位置が低くなる。このため、エレベーターのかごに対する所定の頂部すき間を確保できず、場合によっては新エレベーターが設置不能になるという問題点があった。
【０００５】
この発明は、かかる問題点を解消するためになされたものであり、既設機械台によって駆動機に関わる荷重を支持する構成であって、高さ方向の所要スペースが少ないエレベーター装置を得ることを目的とする。
【０００６】
【課題を解決するための手段】
この発明に係るエレベーター装置においては、上方に機械室が設けられたエレベーターの既設昇降路、水平投影面においてロ字状をなし既設昇降路の上端部に水平に配置された支持枠と、一端が機械室に設置された既設機械台に連結され、他端は支持枠に連結された支持体と、支持枠に設けられて回転軸線が鉛直方向に配置された駆動機と、支持枠に設けられて駆動機から離れ、かつ回転軸線が鉛直方向に配置された第一滑車と、支持枠に設けられて駆動機側の縁部寄りに駆動機から離れて配置され、かつ回転軸線が水平方向に配置された第二滑車と、支持枠に設けられて第一滑車側の縁部寄りに第一滑車から離れて配置され、かつ回転軸線が水平方向に配置された第三滑車と、一端側がエレベーターのかごに係合されて第二滑車、第一滑車、駆動機の駆動綱車及び第三滑車に順次巻掛けられて、他端側はエレベーターのつり合おもりに係合された主索とが設けられる。
【０００７】
【発明の実施の形態】
実施の形態１．
図１及び図２は、この発明の実施の形態の一例を示す図で、図１は昇降路上端部の縦断面図、図２は図１の支持枠箇所の平面図である。図において、既設昇降路１の上方に機械室２が設けられ、機械室２に既設機械台３が設けられている。また、水平投影面においてロ字状をなす支持枠４が既設昇降路１の上端部に水平に配置されて、長手の一端が既設機械台３に、長手の他端は支持枠４に連結された支持体５が支持枠４の四隅に設けられる。
【０００８】
また駆動機６は、フレームと電動機の固定子が一体的に構成されて、固定子に対応した電動機のロータが駆動綱車と一体的に構成され、駆動綱車の回転軸線に沿う方向の外形寸法が短く、すなわち薄形に形成された薄形巻上機である。そして、駆動機６が支持枠４に設置され支持枠４の一側寄りに回転軸線が鉛直方向に沿う姿勢に配置される。また、支持枠４に設けられて駆動機６から離れた支持枠５の他側寄りに回転軸線が鉛直方向に配置された第一滑車７が設置される。
【０００９】
また、支持枠４に設けられて駆動機６側の縁部寄りに駆動機６から離れて配置され、かつ回転軸線が水平方向に配置された第二滑車８が設置される。そして、支持枠４に設けられて第一滑車７側の縁部寄りに第一滑車７から離れて配置され、かつ回転軸線が水平方向に配置された第三滑車９が設置される。また、主索１０が昇降路１に吊設されて、一端がエレベーターのかご１１に連結され第二滑車８、第一滑車７、駆動機６の駆動綱車及び第三滑車９に順次巻掛けられて、他端はエレベーターのつり合おもり１２に連結される。
【００１０】
上記のように構成されたエレベーター装置において、支持枠４に駆動機６、第一滑車７、第二滑車８及び第三滑車９が設置される。そして、駆動機６の駆動綱車等に巻掛けられた主索１０の一端にかご１１が、他端につり合おもり１２が連結され、駆動機６が付勢されると主索１０を介してかご１１及びつり合おもり１２が互いに反対方向へ昇降する。
【００１１】
そして、駆動機６に関わる全荷重が支持枠４、支持体５を介して既設機械台３によって支持されて、昇降路に立設された案内レール（図示しない）による鉛直方向の荷重支持が無用になる。しかも、薄形巻上機からなる駆動機６が、回転軸線が鉛直方向に配置された状態で支持枠４に設置される。
【００１２】
このため、既設昇降路１の上端部における支持枠４、駆動機６、第一滑車７等の設置に要する高さ方向スペースを少なくすることができる。したがって、支持枠４の既設昇降路１における高さ方向の設置位置が高くなりエレベーターのかご１１に対する頂部すき間を確保することができ、新エレベーターを容易に設置することができる。
【００１３】
また、第一滑車７及び第三滑車９によって駆動機６に対する主索１０の巻き付け角を大きくすることができるので、容易に高トラクション能力を得ることができると共に、主索１０の直径を小さくすることができる。これにより、駆動機６の駆動綱車における主索１０の滑りが減少して安定した駆動作用を得ることができると共に、エレベーター装置を小形化することができる。
【００１４】
さらに、支持枠４に駆動機６、第一滑車７、第二滑車８及び第三滑車９を工場において装着して、この状態で据付現場へ搬送することができる。したがって、据付現場での作業量を減少することができ、エレベーターの据付作業能率を向上することができる。
【００１５】
実施の形態２．
図３は、この発明の他の実施の形態の一例を示す図で、昇降路上端部の縦断面図である。なお、図３の他は前述の図１及び図２と同様にエレベーター装置が構成されている。図において、図１及び図２と同符号は相当部分を示し、かご１１にかご吊り車１３が設けられ、またつり合おもり１２につり合おもり吊り車１４が設けられる。
【００１６】
また、主索１５が昇降路１に吊設されて一端が支持枠４の一側に連結され、かご吊り車１３、第二滑車８、第一滑車７、駆動機６の駆動綱車、第三滑車９及びつり合おもり吊り車１４に順次巻掛けられて、他端は支持枠４の他側に連結される。これにより、かご１１とつり合おもり１２が２：１ローピングによる綱掛けによって吊持される。
【００１７】
上記のように構成されたエレベーター装置において、支持枠４に駆動機６、第一滑車７、第二滑車８及び第三滑車９に設置されて、駆動機６の駆動綱車に巻掛けられた主索１５の一端側にかご１１が、他端側につり合おもり１２が係合される。そして、駆動機６が付勢されると主索１５を介してかご１１及びつり合おもり１２が互いに反対方向へ昇降する。
【００１８】
そして、駆動機６に関わる全荷重が支持枠４、支持体５を介して既設機械台３によって支持されて、昇降路に立設された案内レール（図示しない）による鉛直方向の荷重支持が無用になる。しかも、薄形巻上機からなる駆動機６が、回転軸線が鉛直方向に配置された状態で支持枠４に設置される。したがって、詳細な説明を省略するが図３の実施の形態においても、図１及び図２の実施の形態と同様な作用が得られる。
【００１９】
【発明の効果】
この発明は以上説明したように、上方に機械室が設けられたエレベーターの既設昇降路、水平投影面においてロ字状をなし既設昇降路の上端部に水平に配置された支持枠と、一端が機械室に設置された既設機械台に、他端は支持枠に連結された支持体と、支持枠に設けられて回転軸線が鉛直方向に配置された駆動機と、支持枠に設けられて駆動機から離れ、かつ回転軸線が鉛直方向に配置された第一滑車と、支持枠に設けられて駆動機側の縁部寄りに駆動機から離れて配置され、かつ回転軸線が水平方向に配置された第二滑車と、支持枠に設けられて第一滑車側の縁部寄りに第一滑車から離れて配置され、かつ回転軸線が水平方向に配置された第三滑車と、一端側がエレベーターのかごに係合されて第二滑車、第一滑車、駆動機の駆動綱車及び第三滑車に順次巻掛けられて、他端側はエレベーターのつり合おもりに係合された主索とを設けたものである。
【００２０】
これによって、支持枠に駆動機、第一滑車、第二滑車及び第三滑車が設置されて、駆動機の駆動綱車に巻掛けられた主索の一端側にかごが、他端側につり合おもりが係合される。このため、駆動機に関わる全荷重が支持枠、支持体を介して既設機械台によって支持されて、既設昇降路に立設された案内レールによる鉛直方向の荷重支持が無用になる。しかも、薄形巻上機からなる駆動機が、回転軸線が鉛直方向に配置された状態で支持枠に設置される。したがって、既設昇降路の上端部における支持枠、駆動機、第一滑車等の設置に要する高さ方向スペースを少なくすることができる。このため、支持枠の既設昇降路における高さ方向の設置位置が高くなりエレベーターのかごに対する頂部すき間を確保することができて、新エレベーターの設置を容易化する効果がある。また、支持枠に駆動機、第一滑車、第二滑車及び第三滑車を工場において装着し、この状態で据付現場へ搬送することができる。したがって、据付現場での作業量が減少してエレベーターの据付作業能率を向上する効果がある。
【図面の簡単な説明】
【図１】この発明の実施の形態１を示す図であり、昇降路上端部の縦断面図。
【図２】図１の支持枠箇所の平面図。
【図３】この発明の実施の形態２を示す図であり、昇降路上端部の縦断面図。
【符号の説明】
１  既設昇降路、２  機械室、３  既設機械台、４  支持枠、５  支持体、６駆動機、７  第一滑車、８  第二滑車、９  第三滑車、１０  主索、  １１  かご、１２  つり合おもり、１３  かご吊り車、１４  つり合おもり吊り車、１５  主索。
【図１】
2004168518.tif 000003
【図２】
2004168518.tif 000004
【図３】
2004168518.tif 000005